(57)【特許請求の範囲】
【請求項１】
前端に吹出口（８）、後端に吸込口（２８）を有する本体ケース（１）の内部に、送風ファン（３）と、送風ファン（３）を駆動するモーター（４）と、ヒーターユニット（５）とが設けてあるヘアードライヤーであって、
吹出口（８）に、吹出ノズル（９）が設けられており、
吹出ノズル（９）が、第１吹出ノズル（４１）と第２吹出ノズル（４２）とで構成してあり、
第１吹出ノズル（４１）のノズル口（４５）および第２吹出ノズル（４２）のノズル口（５３）が、それぞれ楕円状に形成されており、
第２吹出ノズル（４２）が、第１吹出ノズル（４１）に対して回転自在に装着してあり、
第２吹出ノズル４２を回転することにより、両ノズル４１・４２のノズル口４５・５３の長軸線を一致させて２重楕円状にでき、
第２吹出ノズル４２を回転することにより、両ノズル４１・４２のノズル口４５・５３の長軸線を直交させて交差楕円状にでき、
上記交差楕円状において第１吹出ノズル４１のノズル口４５の両端部を第２吹出ノズル４２の壁で覆ったことを特徴とするヘアードライヤー。
【請求項２】
第２吹出ノズル（４２）が、第１吹出ノズル（４１）に対して着脱自在に、かつ、装着状態において回転自在に装着してある請求項１に記載のヘアードライヤー。
【請求項３】
本体ケース（１）の内部に、送風ファン（３）と、送風ファン（３）を駆動するモーター（４）と、ヒーターユニット（５）が設けてあるヘアードライヤーであって、
本体ケース（１）は、ケース中心軸に沿って複数に分割された分割ケース（３０・３１）を含んで構成されており、
本体ケース（１）の吹出口（８）に、接合された分割ケース（３０・３１）の分離を防ぐ固定リング（３２）が装着されており、
固定リング（３２）に、吹出口（８）から吹出される空気流を収束ないし拡散する吹出ノズル（９）が一体に形成してある請求項１または２に記載のヘアードライヤー。
【請求項４】
吹出ノズル（９）が、固定リング（３２）と一体に形成された第１吹出ノズル（４１）と、第１吹出ノズル（４１）の外面に着脱自在に装着されて、第１吹出ノズル（４１）のノズル口（４５）から吹出された空気流を収束ないし拡散する第２吹出ノズル（４２）とで構成してある請求項３に記載のヘアードライヤー。
【発明の詳細な説明】
【技術分野】
【０００１】
本発明は、髪の乾燥を行うことができるヘアードライヤーに関する。
【背景技術】
【０００２】
この種のヘアードライヤーは、例えば特許文献１に公知である。そこでは、左右一対の外ケースで本体ケースを構成している。左右一対の外ケースを、本体ケースの吹出口の外面に装着した吐出口リングで分離不能に固定している。また、左右の外ケースの後端は、両ケースの内面に嵌め込んだ吸気ケースで分離不能に固定してある。
【０００３】
本体ケースに固定されるノズル本体と、ノズル本体の内部に収容される回転蓋とで吹出ノズルを構成し、回転蓋を回転変位することにより、空気流を収束させ、あるいは拡散させるヘアードライヤーが特許文献２に開示されている。
【０００４】
視覚効果を高めるために、本体ケースを内ケースと外ケースとで構成し、内ケースを透明材、半透明材、あるいは不透明材で形成し、外ケースを透明材、あるいは半透明材で形成することが特許文献３に公知である。そこでは、外ケースを介して内ケースの着色状態や模様を視認できるので、それぞれ色が異なる内ケースと外ケースを複数種用意しておくことにより、ヘアードライヤーの外観上の印象を多様化できる。
【先行技術文献】
【特許文献】
【０００５】
【特許文献１】特開平１１−１２７９４７号公報（段落番号００１８、図３）
【特許文献２】実用新案登録第２５３１８００号公報（段落番号００１５、図３）
【特許文献３】特開２００４−２１６０６６号公報（段落番号００１７、図２）
【発明の概要】
【発明が解決しようとする課題】
【０００６】
本発明の目的は、使い勝手に優れたヘアードライヤーを提供することにある。
【課題を解決するための手段】
【０００７】
前端に吹出口８、後端に吸込口２８を有する本体ケース１の内部に、送風ファン３と、送風ファン３を駆動するモーター４と、ヒーターユニット５とが設けてあるヘアードライヤーである。吹出口８に、吹出ノズル９が設けられている。吹出ノズル９が、第１吹出ノズル４１と第２吹出ノズル４２とで構成してある。第１吹出ノズル４１のノズル口４５および第２吹出ノズル４２のノズル口５３が、それぞれ長円ないし楕円状に形成されており、第２吹出ノズル４２が、第１吹出ノズル４１に対して回転自在に装着してあることを特徴とする。
【０００８】
第２吹出ノズル４２が、第１吹出ノズル４１に対して着脱自在に、かつ、装着状態において回転自在に装着してある。
【０００９】
本発明に係るヘアードライヤーは、本体ケース１の内部に、送風ファン３と、送風ファン３を駆動するモーター４と、ヒーターユニット５が設けてある。本体ケース１は、ケース中心軸に沿って複数に分割された分割ケース３０・３１を含んで構成する。本体ケース１の吹出口８に、接合された分割ケース３０・３１の分離を防ぐ固定リング３２を装着する。固定リング３２に、吹出口８から吹出される空気流を収束ないし拡散する吹出ノズル９を一体に形成することを特徴とする（図１参照）。
【００１０】
図３に示すように、吹出ノズル９は、固定リング３２と一体に形成された第１吹出ノズル４１と、第１吹出ノズル４１の外面に着脱自在に装着されて、第１吹出ノズル４１のノズル口４５から吹出された空気流を収束ないし拡散する第２吹出ノズル４２とで構成する。
【００１１】
第１吹出ノズル４１、および第２吹出ノズル４２は、それぞれ光透過性素材で形成する。
【００１２】
分割ケース３０・３１は、それぞれ光透過性素材で形成して、固定リング３２で分離不能に固定する。
【００１３】
ヒーターユニット５の外面をヒーターカバー１３で覆う。ヒーターカバー１３の外面を覆う分割ケース３０・３１の前部壁面は透視可能とし、残る後部壁面にケース内部の視認を遮る本体遮蔽部５９を形成する（図５参照）。
【００１４】
本体遮蔽部５９は、分割ケース３０・３１の外面に塗装を施して形成する。
【００１５】
本体遮蔽部５９は、分割ケース３０・３１の外面にグラデーション塗装を施して形成する。グラデーション塗装の色調は、分割ケース３０・３１の前部から後部へ向かって連続して徐々に濃くする。
【００１６】
本体遮蔽部５９の前部境界６０を、ヒーターカバー１３の後端より前方に位置させる（図５参照）。
【００１７】
第１吹出ノズル４１を、固定リング３２と、固定リング３２の前側に連続して設けられるノズル部４４とを含んで構成する。固定リング３２のノズル部４４との隣接部分に、リング内部の視認を遮るリング遮蔽部６２を形成する（図５参照）。
【００１８】
ヒーターカバー１３の内面に、ヒーターユニット５を覆う絶縁筒１２を配置する。絶縁筒１２の前端は、ヒーターカバー１３の前端より前方へ突出されて露出している。絶縁筒１２の前端露出部６３を、リング遮蔽部６２で覆う（図１参照）。
【００１９】
第１吹出ノズル４１のノズル部４４のノズル口４５を、固定リング３２からノズル先端へ向かって突設される複数個の収束片４６と、隣接する収束片４６の間に形成される拡散凹部４７とで連続波形に形成する。第２吹出ノズル４２のノズル部５２は、ノズル前端へ向かって前すぼまり状に形成する。
【００２０】
本体ケース１の吹出口８に配置した吹出グリル１４の前面に、イオン発生用の放電ユニット１５で生成したイオンを送出案内するイオンガイド筒２２を突設する。イオンガイド筒２２の前端を、第１吹出ノズル４１の拡散凹部４７より前方へ突出させる（図１参照）。
【００２１】
第１吹出ノズル４１のノズル部４４および第２吹出ノズル４２のノズル部５２を、それぞれ先すぼまり状に形成して、各ノズル４１・４２のノズル口４５・５３を長円ないし楕円状に形成する。第２吹出ノズル４２は、第１吹出ノズル４１に対して着脱自在に、かつ、装着状態において回転自在に装着する。
【発明の効果】
【００２２】
本発明のヘアードライヤーでは、第１、第２の各ノズル４１・４２のノズル口４５・５３を長円ないし楕円状に形成し、第２吹出ノズル４２を第１吹出ノズル４１に対して回転自在に装着すると、第２吹出ノズル４２のノズル口５３から吹出される空気流の収束形状を変更できる。例えば、両ノズル４１・４２のノズル口４５・５３の長軸線を一致させて２重楕円状にする場合（図７に実線で示す状態）には、広幅で扁平に収束された空気流をノズル口５３から吹出すことができる。また、両ノズル４１・４２のノズル口４５・５３の長軸線を直交させて交差楕円状にする場合（図７に想像線で示す状態）には、細く絞られた高速度の空気流をノズル口５３から吹出すことができる。
【００２３】
本発明のヘアードライヤーにおいては、分割ケース３０・３１の分離を防ぐ固定リング３２を利用して、同リング３２と一体に吹出ノズル９を形成するようにした。したがって、本発明のヘアードライヤーによれば、吹出ノズルを固定リングとは別に設ける従来のヘアードライヤーに比べて、本体ケース１の吹出口構造を簡素化して部品点数を削減でき、ヘアードライヤーの製造コストを削減できる。また、固定リング３２と一体の吹出ノズル９を本体ケース１に固定して、分割ケース３０・３１の分離を防ぐので、吹出ノズル９が本体ケース１から取外されることはなく、吹出ノズル９の所在が不明になり、あるいは紛失するのを防止できる。
【００２４】
固定リング３２を含む第１吹出ノズル４１と、第１吹出ノズル４１に着脱される第２吹出ノズル４２とで吹出ノズル９を構成すると、第１吹出ノズル４１のノズル口４５から吹出された空気流を、第２吹出ノズル４２で収束ないし拡散することができる。さらに、第２吹出ノズル４２の装着姿勢を変更することにより、同ノズル４２のノズル口５３から吹出される空気流の吹出し形態を自在に変更できる。例えば、楕円状に形成したノズル口５３から扁平に収束された空気流を吹出す場合には、第２吹出ノズル４２を回転操作することで、扁平な空気流の収束軸の方向を自由に変更できる。したがって、髪のセットや髪の乾燥などの用途に応じて、最も適した空気流の空気流の吹出し形態（風圧、風速、吹出し方向）を選択して、効果的に髪処理を行える。
【００２５】
第１吹出ノズル４１および第２吹出ノズル４２のそれぞれを、光透過性素材で形成すると、第２吹出ノズル４２を通して第１吹出ノズル４１の外形および表面を視認でき、さらに第１吹出ノズル４１の内部の構造を視認できる。また、吹出ノズル９を外面から見るとき、第２吹出ノズル４２のみで覆われる空間と、両吹出ノズル４１・４２が内外に重なる部分とで、透明感や色濃度が変化して異なる視覚効果を発揮することができ、深みのあるクリスタルの印象や清涼感を醸すことができる。
【００２６】
分割ケース３０・３１のそれぞれを、光透過性素材で形成すると、本体ケース１を通してヒーターカバー１３やファンケース１１を視認できる。したがって、ファンケース１１およびヒーターカバー１３をデザイン要素に加えて、本体ケース１の外観デザインを多様化することにより、外観上の印象を興趣に富むものとすることができる。例えば、ファンケース１１の表面の色や模様、あるいはヒーターカバー１３の表面の色、模様、金属光沢などを適宜選定することで、興趣に富むヘアードライヤーを提供できる。
【００２７】
ヒーターカバー１３の外面を覆う分割ケース３０・３１の後部壁面に本体遮蔽部５９を形成すると、例えばモーター４やヒーターユニット５用のリード線の配線個所を本体遮蔽部５９で覆って、本体ケース１の外観の印象が煩雑になるのを防ぐことができる。同時に、本体遮蔽部５９より前側の透視可能な部分においては、ヒーターカバー１３の表面の色、模様、金属光沢などの質感を利用して、本体ケース１の外観デザインを行うことができる。従って、分割ケース３０・３１の全体を光透過構造とする場合に比べて、より高度のデザイン効果を発揮できる。
【００２８】
分割ケース３０・３１の外面に塗装を施して本体遮蔽部５９を形成すると、本体遮蔽部５９を形成するための手間と時間を最小限化して、より少ないコストで本体遮蔽部５９を形成できる。さらに、塗料の色相、彩度、明度、あるいはメタリック感の有無などを自由に選定できるので、本体ケース１の外観デザインを多様化できる。
【００２９】
本体遮蔽部５９をグラデーション塗装で形成すると、本体遮蔽部５９において徐々に変化する色調、および呈色状態の変化を本体ケース１の外観デザインに取込んで、デザイン目的に応じた視覚効果を発揮することができる。また、ヒーターカバー１３の表面で反射されて、本体遮蔽部５９と透視可能な部分との間で視認される色の変化と、本体遮蔽部５９における呈色状態の変化の複合作用によって、新規な素材感、高級感、メタリック感などを醸し出して、本体ケース１の外観の印象を向上できる。
【００３０】
本体遮蔽部５９の前部境界６０がヒーターカバー１３の後端より前方に位置させてあると、ファンケース１１と絶縁筒１２の継ぎ目や、ケース内面のリブ構造などが視認されるのを本体遮蔽部５９で遮ることができる。また、先に説明したように、電装品同士を繋ぐリード線の配線個所が視認されるのを本体遮蔽部５９で遮ることができ、全体として、本体ケース１の外観の印象が煩雑になるのを解消して、外観の印象をすっきりさせることができる。
【００３１】
固定リング３２にリング遮蔽部６２を形成すると、本体ケース１の吹出口８の周辺構造や、固定リング３２と連結筒部３４の連結構造部が視認されるのを、リング遮蔽部６２で遮ることができ、本体ケース１の吹出口周辺の外観の印象をすっきりさせることができる。また、固定リング３２の周面が、同リング３２の露出周面と、リング遮蔽部６２で覆われる部分とに二分されるので、あたかも固定リング３２が２個の部品で構成してあるような外観上の印象を与えることができる。とくに、リング遮蔽部６２が金属箔をホットスタンプして形成してある場合には、その表面が金属光沢を呈するので、固定リング３２の露出周面との質感の違いを強調でき、リング遮蔽部６２が金属部品であるような印象を与えて高級感を醸すことができる。
【００３２】
絶縁筒１２の前端を、ヒーターカバー１３の前端より前方へ突出させるのは、ヒーターカバー１３の前端を吹出口８から遠ざけて、両者８・１３の絶縁距離を確保し感電を防ぐためである。たとえば、絶縁筒１２が破損してヒーター線３８とヒーターカバー１３とが導通した場合には、ヒーターカバー１３に触れて感電するおそれがあるが、こうした事故を避けるために、絶縁筒１２の前端を、ヒーターカバー１３の前端より前方へ突出させている。しかし、絶縁筒１２の前端が露出していると、透視可能な固定リング３２を介して前端露出部６３が視認されて、煩雑な印象を与えやすい。こうした煩雑な印象を払拭して、外観をすっきりさせるために、絶縁筒１２の前端露出部６３の外面をリング遮蔽部６２で覆って、前端露出部６３が視認されるのをリング遮蔽部６２で遮っている。
【００３３】
第１吹出ノズル４１のノズル口４５を、複数個の収束片４６と拡散凹部４７とで連続波形に形成すると、吹出口８から送出された空気の一部を各収束片４６で収束させながら、拡散凹部４７から漏出た拡散する空気流によって、収束する空気流を包み込むことができる。つまり、第１吹出ノズル４１は、吹出口８から送出された空気を、なかば収束させ、同時になかば拡散させながら、そのノズル口４５から吹出すことができる。また、ノズル部５２が前すぼまり状に形成してある第２吹出ノズル４２は、第１吹出ノズル４１のノズル口４５から吹出された空気流を収束して、ノズル口５３から吹出すことができる。したがって、第２吹出ノズル４２を第１吹出ノズル４１に着脱することで、なかば収束され、なかば拡散された空気流を吹出し供給する形態と、収束された空気流を吹出し供給する形態とに変更して、髪の乾燥やセットを適確に行うことができる。
【００３４】
イオンガイド筒２２の前端を、第１吹出ノズル４１の拡散凹部４７より前方へ突出させるのは、イオンガイド筒２２の存在を強調して、イオン送給機能を備えているヘアードライヤーであることをユーザーに訴求するためである。このように、イオンガイド筒２２の前端を拡散凹部４７より前方へ突出させると、イオンガイド筒２２が他物と接当する機会が増加するが、その周囲が収束片４６で囲まれているので、イオンガイド筒２２が他物と接当して破損し、変形するのをよく防止できる。
【００３５】
第１、第２の各ノズル４１・４２のノズル口４５・５３を長円ないし楕円状に形成し、第２吹出ノズル４２を第１吹出ノズル４１に対して回転自在に装着すると、第２吹出ノズル４２のノズル口５３から吹出される空気流の収束形状を変更できる。例えば、両ノズル４１・４２のノズル口４５・５３の長軸線を一致させて２重楕円状にする場合（図７に実線で示す状態）には、広幅で扁平に収束された空気流をノズル口５３から吹出すことができる。また、両ノズル４１・４２のノズル口４５・５３の長軸線を直交させて交差楕円状にする場合（図７に想像線で示す状態）には、細く絞られた高速度の空気流をノズル口５３から吹出すことができる。さらに、第２吹出ノズル４２のノズル口５３の長軸線を斜めに傾斜させた状態では、広幅で扁平に収束された空気流と、細く絞られた高速度の空気流との中間状態の空気流をノズル口５３から吹出すことができる。加えて、第２吹出ノズル４２を回転操作することにより、ノズル口５３で絞られた扁平な空気流の収束軸の方向を自由に変更できる。
【図面の簡単な説明】
【００３６】
【図１】図３におけるＡ−Ａ線断面図である。
【図２】本発明に係るヘアードライヤーの側面図である。
【図３】本発明に係る本体ケースの縦断側面図である。
【図４】本体部の分解断面図である。
【図５】グラデーション塗装を施した本体ケースの側面図である。
【図６】本発明に係るヘアードライヤーの正面図である。
【図７】吹出グリルの別の実施例を示す正面図である。
【発明を実施するための形態】
【００３７】
（実施例）  図１ないし図６は本発明に係るヘアードライヤーの実施例を示す。本発明における前後、左右、上下とは、図２に示す交差矢印と、各矢印の近傍に表記した前後、左右、上下の表示に従う。図２においてヘアードライヤーは、横長筒状の本体ケース１と、本体ケース１の後部寄り下面に連結されるグリップ２とを備えている。本体ケース１の内部には、軸流型の送風ファン３と、ファン駆動用のモーター４と、送風ファン３から送給される空気流を加熱するヒーターユニット５などが配置してある。
【００３８】
グリップ２の前面にはスイッチノブ６が設けてあり、このスイッチノブ６をオフ位置から上向きにスライド操作することにより、ヘアードライヤーの運転モードを切り換えることができる。常温の冷風を送給するモードと、比較的低温で低速の温風を送給するモードと、高温で高速の温風を送給するモードである。必要に応じて、図示していないスイッチを切り替え操作することにより、イオン発生用の放電ユニット１５を作動させてイオンを同時供給することができる。
【００３９】
図３に示すように、本体ケース１の内部には、送風ファン３の周囲を囲むファンケース１１と、ヒーターユニット５の周囲を囲むマイカ製の絶縁筒１２、および金属製のヒーターカバー１３とが配置してある。絶縁筒１２の前端は、ヒーターカバー１３の前端より前方へ突出されて露出しており、その前端に金属板材を打抜いて形成した吹出グリル１４が配置してある。ヒーターカバー１３は、厚みが薄いメッキ鋼板を丸めて形成した金属製のテーパー筒体であり、その外面は鈍い光反射面になっている。ヒーターカバー１３を設けることにより、ヒーター線３８の熱をヒーターカバー１３の熱伝導作用で分散させて、ヒーターユニット５の周りを囲む本体ケース１の壁部分が局部的に高温になるのを防止できる。さらに、ヒーター線３８の輻射熱を反射して、本体ケース１が高温になるのを防ぐことができる。
【００４０】
吹出グリル１４に臨むヒーターユニット５の前部中央には、イオン発生用の放電ユニット１５が配置してある。放電ユニット１５は、針状の放電電極１６と、リング状の対向電極１７と、これら両者を支持する絶縁ホルダー１８とからなり、放電電極１６と対向電極１７との対を絶縁ホルダー１８の前部左右に配置して構成してある。符号１９は、整流回路および高電圧のパルス電流を発生する回路が封入してある樹脂モールドである。
【００４１】
イオン発生用の放電ユニット１５で生成したイオンを送出案内するために、吹出グリル１４の前面の中央にイオンガイド筒２２が装着してある。図６に示すようにイオンガイド筒２２は、円形の第１筒２３と、第１筒２３の前面に設けられる横臥８字状の第２筒２４とを一体に備えたプラスチック成形品からなり、吹出グリル１４に溶着されて固定してある。
【００４２】
ファンケース１１は円筒状に形成してあり、その内面の前部に整流翼２５を有し、整流翼２５で囲まれるホルダー部にモーター４が組み付けてある。ファンケース１１の周面の下部には締結座２６が形成してあり（図３参照）、この締結座２６を後述する右ケース３１にビス２７で締結することにより、ファンケース１１が本体ケース１と一体化してある。ファンケース１１の後方の吸込口２８に吸込グリル７を装着して、髪や衣服の一部が送風ファン３に吸い込まれるのを防いでいる。吸込グリル７は、パンチングメタル製のプレス成形品からなる。
【００４３】
図４に示すように、本体ケース１は、ケース中心軸に沿って左右に２分割された左ケース（分割ケース）３０および右ケース（分割ケース）３１と、両ケース３０・３１の前部および後部をそれぞれ分離不能に固定する、固定リング３２および後部筒３３とで構成する。左右のケース３０・３１は、ファンケース１１および絶縁筒１２で構成される風洞の風洞中心を通る垂直平面に沿って左右に分割されて、断面が半円状に形成してあり、その前端には先の固定リング３２を装着するための連結筒部３４が一体に形成してある。左右のケース３０・３１を接合した状態における連結筒部３４の前端開口が吹出口８となり、この吹出口８の周囲に固定リング３２が固定される。
【００４４】
左右ケース３０・３１の内面の３個所には、部分円弧状の受リブ３５が形成してあり、左右のケース３０・３１を接合した状態において、これらの受リブ３５と連結筒部３４の内面とで、ファンケース１１およびヒーターカバー１３の周面を抱持している。吸込グリル７は後部筒３３に固定してあり、後部筒３３は、最も後方に設けた受リブ３５に係合されて、右ケース３１の外面からねじ込んだビス（図示していない）で固定してある。
【００４５】
ヒーターユニット５は、十文字状に組まれた絶縁板３７と、絶縁板３７の周囲に巻き付けられたヒーター線３８とで構成してあり、ユニット全体が絶縁筒１２の内面に嵌め込まれて、ファンケース１１で遊動不能に保持固定してある。絶縁板３７は、先に説明した放電ユニット１５および樹脂モールド１９の支持体を兼ねている。ヒーター線３８はニクロム線で形成してある。以上のように、この実施例におけるヘアードライヤーにおいては、前端に吹出口８、後端に吸込口２８を有する筒状の本体ケース１の内部に、送風ファン３と、送風ファン３を駆動するモーター４と、ヒーターユニット５とが、吸込口２８から吹出口８へ向かって記載順に設けてある。
【００４６】
吹出ノズル９は、固定リング３２と一体に形成される第１吹出ノズル４１と、必要に応じて第１吹出ノズル４１の外面に着脱される第２吹出ノズル４２とで構成する。図１に示すように、第１吹出ノズル４１は、円筒状の固定リング３２の前部に連続して形成される円筒状の筒基部４３と、筒基部４３に連続して前すぼまり状に突設されるノズル部４４とを一体に備えたプラスチック成形品からなる。固定リング３２の周面直径は、筒基部４３の周面直径より大きく設定してあり、固定リング３２を連結筒部３４の外面に圧入することにより、本体ケース１と一体化される。
【００４７】
ノズル部４４のノズル口４５は、筒基部４３からノズル先端へ向かって突設される花弁状の４個の収束片４６と、隣接する収束片４６の間に形成される拡散凹部４７とで連続波形に形成してある。径方向に対向する収束片４６・４６は、それぞれ前すぼまり状に傾斜させてあり、したがって、吹出口８を通過した空気の一部は各収束片４６で収束され、拡散凹部４７から漏れ出て拡散する空気流によって包み込まれる。
【００４８】
筒基部４３の後端内面には、吹出グリル１４を装着するための段部４８が形成してある。固定リング３２を連結筒部３４の周面に嵌合し固定した状態において、段部４８に嵌込んだ吹出グリル１４の前後面は筒基部４３と連結筒部３４の前端面とで挟持固定される。筒基部４３の周面後部には、筒基部４３に装着した第２吹出ノズル４２を抜止めするためのリブ４９が周回状に形成してある。先に説明したイオンガイド筒２２の前端は、第１吹出ノズル４１の拡散凹部４７より、寸法ａの分だけ前方へ突出してある（図１参照）。
【００４９】
図２、図３において、第２吹出ノズル４２は、筒基部４３の周面に装着される円筒状の装着筒部５１と、装着筒部５１に連続して先すぼまり状に形成されるノズル部５２を一体に備えたプラスチック成形品からなり、前端のノズル口５３が楕円状に形成してある。ノズル口５３の長軸中心に臨むノズル部５２の周壁には、外部空気を導入するための空気導入口５４が開口され、ノズル周面の後部から導入口５４へ向かって浅い案内溝５５が凹み形成してある。空気導入口５４を設けることにより、第２吹出ノズル４２を通過する空気流によるベンチュリー作用で外気をノズル内に導入することができる。これにより、ヒーターユニット５で加熱されて乾燥した状態の空気流に対して、水分を含んだ外部空気を空気導入口５４から導入して、濡れた髪を乾燥する際に髪が過度に乾燥するのを防止できる。
【００５０】
装着筒部５１の内面の複数個所には突起５６が形成してあり、これらの突起５６が先に説明したリブ４９を乗越えることにより、第２吹出ノズル４２を第１吹出ノズル４１に着脱できる。また、突起５６がリブ４９と係合する装着状態においては、第２吹出ノズル４２を回転変位して、ノズル口５３から吹出される収束された空気流の収束方向を自由に変更することができる。
【００５１】
ヘアードライヤーの主要構造は以上の通りであるが、そのデザイン効果を高め、外観上の印象を興趣に富むものとするために、本体ケース１および吹出ノズル９の各部材を次のように構成した。まず、左ケース３０および右ケース３１のそれぞれを光透過性素材で形成し、さらに、第１吹出ノズル４１、および第２吹出ノズル４２のそれぞれを光透過性素材で形成して、本体ケース１の内部および吹出ノズル９の内部を透視できるようにした。具体的には、光透過性素材としてはポリカーボネイト、アクリル、透明なＡＢＳ樹脂などの透明樹脂が好適であり、例えば透明なポリカーボネイトに着色剤を混入して、左右ケース３０・３１、および両吹出ノズル４１・４２を、呈色状態が淡い有彩色となる状態で射出成形した。
【００５２】
また、ヒーターカバー１３の外面を覆う左ケース３０および右ケース３１の外面にグラデーション塗装を施して本体遮蔽部５９を形成した。グラデーション塗装の色調は、図５に示すように、左ケース３０および右ケース３１の中途部から後部へ向かって連続して徐々に濃くなるようにした。これにより、ヒーターカバー１３の後半部より後方において、ケース内部が視認されるのを本体遮蔽部５９で阻止できる。具体的には、本体遮蔽部５９の前部境界６０をヒーターカバー１３の後端より前方に位置させることにより、ファンケース１１と絶縁筒１２の継ぎ目や、ケース内面に設けた受リブ３５が視認されるのを阻止できる。なお、図５においては、内部に透けて見えるヒーターカバー１３や、第１吹出口４１の外郭線などを細線で表示している。グリップ２の外面にも、本体遮蔽部５９と同じ色の塗装が施してある。
【００５３】
第１吹出ノズル４１においては、固定リング３２の周面のノズル部４４との隣接部分にリング遮蔽部６２を形成して、リング内部に設けられる吹出口８の周辺構造が視認されるのを避けるようにした。同時に、ヒーターカバー１３の前端より前方へ突出する絶縁筒１２の前端露出部６３が視認されるのを、リング遮蔽部６２で遮るようにした（図１参照）。リング遮蔽部６２は、固定リング３２の前半周面に金属箔をホットスタンプ法で周回状に固定して形成してあり、その表面は金属光沢を呈して、リング遮蔽部６２で囲まれた部分が金属部品で構成してあるような印象を与えることができる。
【００５４】
以上のように、第１吹出ノズル４１を固定リング３２と一体に形成したヘアードライヤーによれば、吹出ノズル９を別途設ける場合に比べて、本体ケース１の吹出口構造を簡素化して部品点数を削減できる。また、第２吹出ノズル４２を回転操作することで、そのノズル口５３から吹出される、収束された空気流の収束軸方向を自由に変更できるので、髪のセットや乾燥を効果的に行うことができる。
【００５５】
また、各部材を光透過性素材で形成して、左右ケース３０・３１にグラデーション塗装を施し、固定リング３２の周面に金属光沢を呈するリング遮蔽部６２を形成するので、従来にはない、高いデザイン効果を発揮できるヘアードライヤーが得られる。具体的には、本体ケース１の前半部においては、淡い色のケース壁を介してヒーターカバー１３の金属表面および外郭線を視認できるので、深みのあるクリスタルの印象や、清涼感を醸すことができる。また、ヒーターカバー１３の表面で反射される金属表面の鈍い反射光と、本体ケース１の表面で反射される反射光と、リング遮蔽部６２で反射される鋭い反射光とによって質感の違いを強調でき、同時にヒーターカバー１３の表面の奥行き感を強調できる。
【００５６】
吹出ノズル９においては、第１吹出ノズル４１を介してイオンガイド筒２２を明確に視認できるので、イオンガイド筒２２の存在感を強調して、イオン送給機能を備えているヘアードライヤーであることをユーザーに訴求できる。さらに、第２吹出ノズル４２を装着した状態では、同ノズル４２を通して第１吹出ノズル４１の表面、および内部のイオンガイド筒２２を視認できる。したがって、深みのあるクリスタルの印象や、清涼感を醸すことができ、全体として興趣に富むヘアードライヤーとすることができる。
【００５７】
図７は吹出ノズル９の別の実施例を示す。そこでは、第１吹出ノズル４１のノズル部４４を、第２吹出ノズル４２のノズル部５２と同様に先すぼまり状に形成して、そのノズル口４５を楕円状に形成した。第１吹出ノズル４１に装着した第２吹出ノズル４２を回転することにより、両ノズル４１・４２のノズル口４５・５３の長軸線を一致させて、実線で示すように２重楕円状にでき、この状態では広幅で扁平に収束された空気流をノズル口５３から吹出すことができる。また、両ノズル４１・４２のノズル口４５・５３の長軸線を直交させて、想像線で示す交差楕円状にでき、この状態では細く絞られた高速度の空気流をノズル口５３から吹出すことができる。他は先の実施例と同じであるので、同じ部材に同じ符号を付してその説明を省略する。
【００５８】
上記のように構成したヘアードライヤーは、以下の実施形態で実施することができる。
前端に吹出口８、後端に吸込口２８を有する筒状の本体ケース１の内部に、送風ファン３と、送風ファン３を駆動するモーター４と、ヒーターユニット５とが、吸込口２８から吹出口８へ向かって記載順に設けてあるヘアードライヤーであって、
本体ケース１は、光透過性素材で形成されており、
ヒーターユニット５の外面が金属製のヒーターカバー１３で覆われており、
ヒーターカバー１３の外面を覆う、本体ケース１の前部壁面が透視可能で、残る後部壁面にケース内部の視認を遮る本体遮蔽部５９が形成してあるヘアードライヤー（実施形態１）。
【００５９】
本体遮蔽部５９が、本体ケース１の外面に塗装を施して形成してあるヘアードライヤー（実施形態２）。
【００６０】
本体遮蔽部５９が、本体ケース１の外面にグラデーション塗装を施して形成されており、
グラデーション塗装の色調が、本体ケース１の前部から後部へ向かって連続して徐々に濃くしてあるヘアードライヤー（実施形態３）。
【００６１】
本体遮蔽部５９の前部境界６０が、ヒーターカバー１３の後端より前方に位置させてあるヘアードライヤー（実施形態４）。
【００６２】
実施形態１のヘアードライヤーでは、光透過性素材で形成した本体ケース１の前部壁面を透視可能とし、残る後部壁面に本体遮蔽部５９を設けるので、例えばモーター４やヒーターユニット５用のリード線の配線個所を本体遮蔽部５９で覆って、本体ケース１の外観の印象が煩雑になるのを防ぐことができる。同時に、本体遮蔽部５９より前側の透視可能な部分においては、ヒーターカバー１３の表面の色、模様、金属光沢などの質感を利用して、本体ケース１の外観デザインを行うことができる。従って、本体ケース１の全体を光透過構造とする場合に比べて、より高度のデザイン効果を発揮して、ヘアードライヤーの外観上の印象を興趣に富むものとすることができる。
【００６３】
実施形態２のヘアードライヤーでは、本体ケース１の外面に塗装を施して本体遮蔽部５９を形成するので、本体遮蔽部５９を形成するための手間と時間を最小限化して、より少ないコストで本体遮蔽部５９を形成できる。さらに、塗料の色相、彩度、明度、あるいはメタリック感の有無などを自由に選定できるので、本体ケース１の外観デザインを多様化できる。
【００６４】
実施形態３のヘアードライヤーでは、本体遮蔽部５９をグラデーション塗装で形成するので、本体遮蔽部５９における色調および呈色状態の変化を本体ケース１の外観デザインに取込んで、デザイン目的に応じた視覚効果を発揮することができる。また、ヒーターカバー１３の表面で反射されて、本体遮蔽部５９と透視可能な部分との間で視認される色の変化と、本体遮蔽部５９における呈色状態の変化の複合作用によって、新規な素材感、高級感、メタリック感などを醸し出して、本体ケース１の外観の印象を向上できる。
【００６５】
実施形態４のヘアードライヤーでは、本体遮蔽部５９の前部境界６０をヒーターカバー１３の後端より前方に位置させるので、ファンケース１１と絶縁筒１２の継ぎ目や、ケース内面のリブ構造などが視認されるのを本体遮蔽部５９で遮ることができる。また、先に説明したように、電装品同士を繋ぐリード線の配線個所が視認されるのを本体遮蔽部５９で遮ることができ、全体として、本体ケース１の外観の印象が煩雑になるのを解消して、外観の印象をすっきりさせることができる。
【００６６】
吹出ノズル９は、第１吹出ノズル４１のみで構成することができ、その場合のノズル口４５の構造は連続波形である必要はなく、図７で説明した楕円形状あるいは長円形状であってもよい。吹出ノズル９は、空気流を収束する機能と、空気流を拡散する機能の少なくともいずれか一方を備えていればよく、実施例で説明したノズル構造に限定するものではない。
【００６７】
上記の実施例では、本体遮蔽部５９をグラデーション塗装で形成したがその必要はなく、本体ケース１の内面あるいは外面のいずれか一方に通常の塗装を施し、あるいは透視不能なフィルムを貼り付けて形成することができる。また、必要があれば本体ケース１の成形素材に透視不能な着色剤を混入して本体遮蔽部５９を形成することができる。リング遮蔽部６２は、金属蒸着法で形成することができ、必要があれば、メッキ処理された金属リングで形成して、固定リング３２の外嵌する状態で装着することができる。
【００６８】
第１吹出ノズル４１と第２吹出ノズル４２は、それぞれ異なる色に着色することができる。第１吹出ノズル４１のノズル口４５と、第２吹出ノズル４２のノズル口５３は、楕円状に形成する以外に、長円形、菱形、扁平な六角形などに形成することができる。本体ケース１は、風洞中心を通る水平面に沿って上下に２分割した、上ケース（分割ケース）と下ケース（分割ケース）を接合して構成することができる。必要があれば、上ケースと下ケースの少なくとも一方を左右に分割するなどにより、３個以上の分割ケースで本体ケース１を構成することができる。
【００６９】
本発明は、グリップ２を備えていないヘアードライヤーにも適用でき、その場合には本体ケース１がグリップを兼ねることとなる。ヒーターユニット５の熱源は、ニクロム線などの電気式の抵抗発熱線である必要はなく、ガス式のヒーターであってもよい。
【符号の説明】
【００７０】
１  本体ケース
３  送風ファン
４  モーター
５  ヒーターユニット
８  吹出口
９  吹出ノズル
１３  ヒーターカバー
１４  吹出グリル
２２  イオンガイド筒
２８  吸込口
３０  左ケース（分割ケース）
３１  右ケース（分割ケース）
３２  固定リング
４１  第１吹出ノズル
４２  第２吹出ノズル
４５  第１吹出ノズルのノズル口
５３  第２吹出ノズルのノズル口
５９  本体遮蔽部
６０  前部境界
６２  リング遮蔽部
【図１】
0005608214.tif 000002
【図２】
0005608214.tif 000003
【図３】
0005608214.tif 000004
【図４】
0005608214.tif 000005
【図６】
0005608214.tif 000006
【図７】
0005608214.tif 000007
【図５】
0005608214.tif 000008